(57)【要約】【課題】  包装体を流用して不正に製造された商品を収容して販売されるような模倣品などの流通を防止する包装商品に対するＩＣタグの装着方法を提供する。【解決手段】  透明樹脂シート２に形成した凹部２ａに商品１０を収容し、透明樹脂シート２の周辺部を台紙３に接合したブリスターパックＡの透明樹脂シート２と台紙３との接合部位に、ＩＣタグ１のアンテナ又はそのＩＣチップに接続する接続ラインが位置するようにＩＣタグ１を取り付ける。透明樹脂シート２と台紙３との接合を剥がして商品１０を取り出すとアンテナ又は接続ラインが破断するのでＩＣタグ１の機能が停止するので、リーダ／ライタからＩＣタグ１にアクセスすることにより、外観では判定できない不正商品を発見することができる。【選択図】  図１
2006341858.tif 000002
【特許請求の範囲】
【請求項１】
台紙上に配した商品を透明樹脂シートに形成した凹部内に収容して透明樹脂シートの周辺部を前記台紙に接合してなるブリスターパックに、ＩＣチップとそれに接続ラインで接続されたアンテナとを備えたＩＣタグを装着する包装商品に対するＩＣタグの装着方法であって、
前記透明樹脂シートと前記台紙との接合面に、前記ＩＣタグのアンテナ又は接続ライン部分を配してなることを特徴とする包装商品に対するＩＣタグの装着方法。
【請求項２】
台紙上に配した商品を透明樹脂シートに形成した凹部内に収容して透明樹脂シートの周辺部を前記台紙に接合し、台紙の前記凹部と対応する部位に商品取り出し用のミシン目が形成されてなるブリスターパックに、ＩＣチップとそれに接続ラインで接続されたアンテナとを備えたＩＣタグを装着する包装商品に対するＩＣタグの装着方法であって、
前記台紙に形成されたミシン目を横断するように前記ＩＣタグのアンテナ又は接続ライン部分を配してなることを特徴とする包装商品に対するＩＣタグの装着方法。
【請求項３】
台紙上に配した商品を透明樹脂シートに形成した凹部内に収容して透明樹脂シートの周辺部を前記台紙に接合し、台紙の前記凹部と対応する部位に商品取り出し用のミシン目が形成されてなるブリスターパックに、ＩＣチップとそれに接続ラインで接続されたアンテナとを備えたＩＣタグを装着する包装商品に対するＩＣタグの装着方法であって、
前記透明樹脂シートと前記台紙との接合面に前記アンテナの一部を配すると共に、台紙に形成されたミシン目を横断するようにアンテナ又は接続ライン部分を配してなることを特徴とする包装商品に対するＩＣタグの装着方法。
【請求項４】
台紙が透明樹脂シートと同質のシート材で形成され、台紙と透明樹脂シートとが周縁部で嵌合接着されたクラムシェル構造に構成されてなる請求項１又は２に記載の包装商品に対するＩＣタグの装着方法。
【発明の詳細な説明】
【技術分野】
【０００１】
本発明は、商品を包装した包装容器にＩＣタグを装着して商品の管理、販売の管理等に供する包装商品に対するＩＣタグの装着方法に関するものである。
【背景技術】
【０００２】
比較的小型の商品を包装する包装形態としてブリスターパックが広く用いられている。ブリスターパックは吊り下げ陳列するのに適しており、陳列棚の奥行き方向に設けられた棒状のフックに複数個を吊り下げて陳列することにより多数の品種を立体的に配置することができ、商品を透明カバーから視認できる効果とコマーシャルスペースを広く展開できる効果とが得られる。
【０００３】
しかし、ブリスターパックは包装を分解して商品を取り出すことが容易であるため、使用済みのブリスターパックに模倣品を包装し、あたかも純正商品であるかに装って販売する事例が多発している。模倣品は純正品と外観はそっくりに作られているので、包装体の表面に記載されている説明文や記号などの間違いから模倣品であると判明することが多いが、包装体が本物であると模倣品と識別することは極めて困難である。消費者が模倣品によって痛手を蒙ることは勿論であるが、模倣品の数が多くなるほどに商品の製造者が受ける損失は大きく、製造者にとって模倣品は極めて深刻な問題となっている。
【０００４】
そこで、商品の包装が開梱されたことが明らかになる対策を講じることが必要となり、商品やその包装の一部が所定位置から剥がされた痕跡が残るようにした改ざん防止粘着ラベルが開梱識別の一手段として知られている（例えば、特許文献１参照）。
【０００５】
また、商品又はその包装体にＩＣタグを装着して純正品と模倣品とを識別する仕組みが構成され、ＩＣタグが取り外されると、その機能が消滅する方法が提案されている。例えば、被装着物に貼着したＩＣタグを剥がすと、ＩＣタグを構成するＩＣチップとアンテナとの接続が破壊されるものが知られている（特許文献２参照）。
【特許文献１】特開２００３−０８４６７２号公報
【特許文献２】特開２００１−１６７２４０号公報
【発明の開示】
【発明が解決しようとする課題】
【０００６】
ブリスターパックは、紙製又は樹脂製の台紙と、透明樹脂シートに商品を収容できる容積に凹部を形成した透明カバーとにより構成され、凹部に商品を収容して透明カバーの周辺部を台紙に接合して包装商品に仕上られる。台紙と透明カバーとの間の接合手段は、嵌合構造やステープル止め、接着や溶着などが適用されるが、消費者が容易に商品を取り出すことができるように台紙と透明カバーとの間の分離が容易になされる必要がある。このような構造が商品を取り出した後のブリスターパックそのものが悪用される一因ともなっている。
【０００７】
このブリスターパックに従来技術に係る改ざん防止粘着ラベルや剥離分解ＩＣタグを適用することは難しい。透明カバーを台紙から一部を剥がして商品を取り出し、透明カバーを元に戻すとぴったり同一位置に貼り合わすことができるので、改ざん防止粘着ラベルでは剥離したことの痕跡が明らかにし難い。また、剥離分解ＩＣタグの場合では、ＩＣタグそのものを貼着位置から剥がした場合に分解が生じるので、透明カバーと台紙との接合構造であるブリスターパックに適用しがたい。
【０００８】
本発明が目的とするところは、ブリスターパックの透明カバーと台紙とを分離させたときＩＣタグの機能が停止するようにして模倣品や偽造品を防止する包装商品に対するＩＣタグの装着方法を提供することにある。
【課題を解決するための手段】
【０００９】
上記目的を達成するための本願第１発明は、台紙上に配した商品を透明樹脂シートに形成した凹部内に収容して透明樹脂シートの周辺部を前記台紙に接合してなるブリスターパックに、ＩＣチップとそれに接続ラインで接続されたアンテナとを備えたＩＣタグを装着する包装商品に対するＩＣタグの装着方法であって、前記透明樹脂シートと前記台紙との接合面に、前記ＩＣタグのアンテナ又は接続ライン部分を配してなることを特徴とする。
【００１０】
上記装着方法によれば、透明樹脂シートと台紙との接合面にＩＣタグのアンテナ部分又は接続ライン部分を配しているので、透明樹脂シートを台紙から剥がすと、薄膜状に形成されているアンテナ又は接続ラインは破断し、ＩＣタグの機能が停止するので、ＩＣタグの動作を確認することにより、ブリスターパックが開梱されたものか否かを判定することができる。
【００１１】
また、本願第２発明は、台紙上に配した商品を透明樹脂シートに形成した凹部内に収容して透明樹脂シートの周辺部を前記台紙に接合し、台紙の前記凹部と対応する部位に商品取り出し用のミシン目が形成されてなるブリスターパックに、ＩＣチップとそれに接続ラインで接続されたアンテナとを備えたＩＣタグを装着する包装商品に対するＩＣタグの装着方法であって、前記台紙に形成されたミシン目を横断するように前記ＩＣタグのアンテナ又は接続ライン部分を配してなることを特徴とする。
【００１２】
上記装着方法によれば、ミシン目から台紙の一部を破断して商品を取り出すと、ミシン目を横断しているアンテナ又は接続ラインも破断し、ＩＣタグの機能が停止するので、ＩＣタグの動作を確認することにより、ブリスターパックが開梱されたものか否かを判定することができる。
【００１３】
また、本願第３発明は、台紙上に配した商品を透明樹脂シートに形成した凹部内に収容して透明樹脂シートの周辺部を前記台紙に接合し、台紙の前記凹部と対応する部位に商品取り出し用のミシン目が形成されてなるブリスターパックに、ＩＣチップとそれに接続ラインで接続されたアンテナとを備えたＩＣタグを装着する包装商品に対するＩＣタグの装着方法であって、前記透明樹脂シートと前記台紙との接合面に前記アンテナの一部を配すると共に、台紙に形成されたミシン目を横断するようにアンテナ又は接続ライン部分を配してなることを特徴とする。
【００１４】
上記装着方法によれば、ミシン目を破断させて商品を取り出した場合であっても、透明樹脂シートを台紙から剥がして商品を取り出した場合であっても、アンテナ又は接続ラインが破断するので、いずれの方法で商品を取り出してもＩＣタグの機能が停止する。従って、ＩＣタグの動作を確認することにより、ブリスターパックが開梱されたものか否かを判定することができる。
【００１５】
上記各装着方法において、台紙が透明シートと同質のシート材で形成され、台紙と透明樹脂シートとが周縁部で嵌合接着されたクラムシェル構造に構成されたブリスターパックである場合、透明樹脂シートと台紙とは嵌合構造及び溶着によって接合されるので、接合部分を剥がすと、薄膜形成されたアンテナ又は接続ラインに破断あるいは損傷が生じてＩＣタグの機能を停止させることができる。
【発明の効果】
【００１６】
本発明によれば、ブリスターパックから商品を取り出すと、装着されているＩＣタグの機能が停止するので、正規商品を取り出した後のブリスターパックに不正に製造された模倣商品を収納してもＩＣタグは機能せず、パッケージが正規のものであっても惑わされることなく模倣商品と判別することが可能となる。
【発明を実施するための最良の形態】
【００１７】
図１は、本発明の第１の実施形態に係るブリスターパックＡを示すもので、透明樹脂シート２に形成した凹部２ａに商品１０を収容し、透明樹脂シート２の周辺部を台紙３に接合し、台紙３に形成した吊り下げ穴３ａを陳列棚のフックに通して吊り下げ陳列できるように構成されている。
【００１８】
前記台紙３上には、図２に示すようにシート状に形成されたＩＣタグ１が貼着され、商品管理、在庫管理等に必要な情報が記録されている。ＩＣタグ１は、透明フィルム上にスクリーン印刷や蒸着等の手段によってコイル状にアンテナ６が形成され、アンテナ６の両端から延出形成された接続ライン８にＩＣチップ７が接続されている。ＩＣチップ７はメモリや制御回路等を集積回路として構成したもので、リーダ／ライタから出力される電波をアンテナ６で受信することにより誘起する微小電力により動作し、メモリに記録された情報を応答信号としてアンテナ６からリーダ／ライタに向けて送信するパッシブタグに構成されている。
【００１９】
上記ＩＣタグ１は、その透明フィルム部分が台紙３の表面全体を被覆する被覆層を兼ねるものであっても、図示するように透明樹脂シート２の外形寸法と略同等寸法であってもよいが、アンテナ６又はＩＣチップ７とアンテナ６との接続ライン８が透明樹脂シート２を台紙３に接合する接合部位に位置するように配置される。
【００２０】
ブリスターパックＡによって包装された商品１０は、透明樹脂シート２を台紙３から剥がすことにより取り出すことができるので、ブリスターパックＡに損傷を与えないように透明樹脂シート２を剥がして商品１０を取り出し、偽物商品を収納して包装状態を元の状態にした模造品が出回ることが多発している。しかし、本構成では、透明樹脂シート２と台紙３との接合を剥がすと、接合部位に位置するアンテナ６又は接続ライン８が破断するのでＩＣタグ１の機能は停止するので、ブリスターパックＡが一度開梱されたことが判定できる。
【００２１】
包装された商品は外観が同じであり、しかも包装体が正規のものであると、目視だけでは模倣品などの不正なものであると判断できない。本構成のように開梱によりＩＣタグ１の機能が停止するように構成されていると、リーダ／ライタからブリスターパックＡにアクセスすることにより、外観が正規品であっても実体が模倣品などの不正な商品であることを見破ることができる。
【００２２】
図３（ａ）は、本発明の第２の実施形態に係るブリスターパックＢの表面側の平面図を示すもので、商品１０を取り出すことを容易にするために、図３（ｂ）に示す、台紙３の裏側にミシン目９が設けられている。その他の構成は先のブリスターパックＡと同一として、その説明は省略する。
【００２３】
このようにミシン目９が設けられているブリスターパックＢの場合では、ミシン目９を横断するようにアンテナ６又は接続ライン８の部位が位置するようにＩＣタグ１を貼着すると、商品１０を取り出すためにミシン目９を破断させると、アンテナ６又は接続ライン８もミシン目９と共に破断するのでＩＣタグ１の機能は停止する。
【００２４】
ミシン目９はそれを破断させると開梱したことが見つかりやすいので、不正な行為を行う意図で商品１０を取り出すときに、修復が可能な透明樹脂シート２と台紙３との接合を剥がす場合があるので、より確実には、ミシン目９に加えて第１の実施形態の構成に示したように、透明樹脂シート２と台紙３との接合部位にもアンテナ６の一部が位置するように構成するのが望ましい。
【産業上の利用可能性】
【００２５】
以上の説明の通り本発明によれば、ブリスターパックから商品を取り出すと、装着されているＩＣタグの機能が停止するので、正規商品を取り出した後のブリスターパックに不正に製造された模倣商品など付勢に製造された商品を収納してもＩＣタグは機能せず、パッケージが正規のものであっても外観に惑わされることなく模倣商品など不正商品と判別することが可能となり、有効な模倣品対策を講じることができる。
【図面の簡単な説明】
【００２６】
【図１】第１の実施形態に係るブリスターパックの構成を示す斜視図。
【図２】ＩＣタグの構成例を示す平面図。
【図３】第２の実施形態に係るブリスターパックの構成を示す（ａ）は表面側、（ｂ）は裏面側の平面図。
【符号の説明】
【００２７】
１  ＩＣタグ
２  透明樹脂シート
２ａ  凹部
３  台紙
６  アンテナ
７  ＩＣチップ
８  接続ライン
９  ミシン目
Ａ、Ｂ  ブリスターパック
【図１】
2006341858.tif 000003
【図２】
2006341858.tif 000004
【図３】
2006341858.tif 000005